(57)【要約】【課題】ピント確認モードにおいて表示部に拡大表示される被写体の視認性を向上できる。【解決手段】デジタルカメラは、手ぶれ補正機能を有している。また、デジタルカメラでは、通常の表示倍率の画面Ｇ１で被写体画像がライブビュー表示される際に、ピント確認ボタンが押下されることにより、ピント確認モードに移行し２倍拡大画面Ｇ２に切替わる。さらに、ピント確認ボタンが押下されることにより、４倍拡大画面Ｇ３に切替わる。この４倍拡大画面Ｇ３においては、通常画面Ｇ１に比べ、手ぶれによる表示画面の揺れがかなり拡大されてしまう。そこで、４倍拡大画面Ｇ３のピント確認モードでは、手ぶれ補正機能を働かせることにより、手ぶれによる画面のぶれを抑えることとする。これにより、ピント確認モードにおいて表示部に拡大表示される被写体の視認性を向上できる。【選択図】        図６
2005003957.tif 000002
【特許請求の範囲】
【請求項１】
所定の電源によって駆動されるデジタルカメラであって、
（ａ）撮影光学系を介して被写体に係る画像を取得する撮像手段と、
（ｂ）前記撮像手段で順次に取得される被写体画像に基づき、被写体に係るライブビュー表示が可能な表示手段と、
（ｃ）前記デジタルカメラに係る振動を検出し、前記振動に応じて前記撮像手段で取得される被写体画像のぶれを補正するぶれ補正手段と、
（ｄ）前記ライブビュー表示において前記被写体画像を拡大して表示することにより合焦状態の把握に寄与するピント確認モードに設定するモード設定手段と、
（ｅ）前記ピント確認モードに設定された場合には、前記ぶれ補正手段を能動化する制御手段と、
を備えることを特徴とするデジタルカメラ。
【請求項２】
請求項１に記載のデジタルカメラにおいて、
前記所定の電源は、電池であることを特徴とするデジタルカメラ。
【請求項３】
請求項２に記載のデジタルカメラにおいて、
前記モード設定手段は、
（ｄ−１）前記被写体画像の拡大表示について複数の拡大倍率から１の拡大倍率を指定する指定手段、
を有するとともに、
前記制御手段は、
（ｅ−１）前記ピント確認モードに設定された場合において、前記指定手段で指定された１の拡大倍率が所定の拡大倍率以上である場合に、前記ぶれ補正手段を能動化する手段、
を有することを特徴とするデジタルカメラ。
【請求項４】
請求項２または請求項３に記載のデジタルカメラにおいて、
（ｆ）前記ピント確認モードの設定が解除された場合には、前記ぶれ補正手段を不能化する手段、
をさらに備えることを特徴とするデジタルカメラ。
【請求項５】
請求項２ないし請求項４のいずれかに記載のデジタルカメラにおいて、
（ｇ）前記撮影光学系に含まれるレンズを駆動する駆動手段と、
（ｈ）前記駆動手段により前記レンズが駆動される際には、前記ぶれ補正手段を不能化する手段と、
をさらに備えることを特徴とするデジタルカメラ。
【請求項６】
請求項２ないし請求項５のいずれかに記載のデジタルカメラにおいて、
（ｉ）メニューおよび／またはダイアログを前記表示手段に表示させる表示制御手段と、
（ｊ）前記表示制御手段によって前記メニューおよび／またはダイアログが表示される場合には、前記ぶれ補正手段を不能化する手段と、
をさらに備えることを特徴とするデジタルカメラ。
【請求項７】
請求項２ないし請求項６のいずれかに記載のデジタルカメラにおいて、
前記制御手段は、
（ｅ−２）前記ピント確認モードに設定された後に所定時間が経過した場合には、前記ぶれ補正手段を不能化する手段、
を有することを特徴とするデジタルカメラ。
【請求項８】
請求項１ないし請求項７のいずれかに記載のデジタルカメラにおいて、
（ｋ）撮影時に前記ぶれ補正手段を能動化するぶれ補正実施の設定と、撮影時に前記ぶれ補正手段を不能化するぶれ補正不実施の設定とを選択的に行う選択手段、
をさらに備え、
前記制御手段は、
（ｅ−３）前記ぶれ補正実施または前記ぶれ補正不実施の設定に関わらず、前記ピント確認モードに設定された場合には、前記ぶれ補正手段を能動化する手段、
を有することを特徴とするデジタルカメラ。
【請求項９】
請求項１ないし請求項８のいずれかに記載のデジタルカメラにおいて、
前記制御手段は、
（ｅ−４）前記ピント確認モードに設定された場合で、少なくとも撮影準備状態における所定期間においては、前記ぶれ補正手段の能動化状態を維持する手段、
を有することを特徴とするデジタルカメラ。
【請求項１０】
請求項１ないし請求項９のいずれかに記載のデジタルカメラにおいて、
前記制御手段は、
（ｅ−５）前記ピント確認モードに設定された場合においては、撮影指示が行われる場合でも、前記ぶれ補正手段の能動化状態を維持する手段、
を有することを特徴とするデジタルカメラ。
【請求項１１】
請求項１ないし請求項１０のいずれかに記載のデジタルカメラにおいて、
（ｌ）前記撮影光学系に係るレンズ配置を変更し、合焦状態の調整を行う調整手段と、
（ｍ）前記調整手段により前記レンズ配置が変更される場合には、前記ぶれ補正手段を能動化する手段と、
をさらに備えることを特徴とするデジタルカメラ。
【請求項１２】
デジタルカメラであって、
（ａ）被写体に係る画像を取得する撮像手段と、
（ｂ）前記撮像手段で順次に取得される被写体画像に基づき、被写体に係るライブビュー表示が可能な表示手段と、
（ｃ）前記デジタルカメラに係る振動を検出し、前記振動に応じて前記撮像手段で順次に取得される被写体画像のぶれを補正するぶれ補正手段と、
（ｄ）前記ぶれ補正手段を能動化するぶれ補正実施の設定と、前記ぶれ補正手段を不能化するぶれ補正不実施の設定とを選択的に行う選択手段と、
（ｅ）前記ライブビュー表示において前記被写体画像を拡大して表示することにより合焦状態の把握に寄与するピント確認モードに設定するモード設定手段と、
（ｆ）前記ピント確認モードに設定された場合には、前記選択手段による前記ぶれ補正実施の設定を促す表示を前記表示手段に行う表示制御手段と、
を備えることを特徴とするデジタルカメラ。
【発明の詳細な説明】
【０００１】
【発明の属する技術分野】
本発明は、ピント確認モードを有するデジタルカメラに関する。
【０００２】
【従来の技術】
従来のデジタルカメラにおいては、ユーザがピントを確認できるピント確認モードを備えるものがある。
【０００３】
ピント確認モードを有するデジタルカメラについては、例えば特許文献１や特許文献２に開示されている。これらのデジタルカメラでは、ピントの状態つまり合焦状態を把握しやすくするために画面の一部が拡大されて表示部に表示される。
【０００４】
【特許文献１】
特開２０００−１３４５２５号公報
【特許文献２】
特開２００１−２７５０２８号公報
【０００５】
【発明が解決しようとする課題】
しかしながら、特許文献１および特許文献２のデジタルカメラでは、ピント確認のために画面の一部を拡大するので、手ぶれによる被写体画像の揺れ（ぶれ）も拡大されてしまう。その結果、合焦状態を確認したい被写体を表示部の画面に留めておくことが極めて困難となり、視認性が悪化する。
【０００６】
本発明は、上記課題に鑑みてなされたものであり、ピント確認モードにおいて表示部に拡大表示される被写体の視認性を向上できるデジタルカメラを提供することを目的とする。
【０００７】
【課題を解決するための手段】
上記の課題を解決するため、請求項１の発明は、所定の電源によって駆動されるデジタルカメラであって、（ａ）撮影光学系を介して被写体に係る画像を取得する撮像手段と、（ｂ）前記撮像手段で順次に取得される被写体画像に基づき、被写体に係るライブビュー表示が可能な表示手段と、（ｃ）前記デジタルカメラに係る振動を検出し、前記振動に応じて前記撮像手段で取得される被写体画像のぶれを補正するぶれ補正手段と、（ｄ）前記ライブビュー表示において前記被写体画像を拡大して表示することにより合焦状態の把握に寄与するピント確認モードに設定するモード設定手段と、（ｅ）前記ピント確認モードに設定された場合には、前記ぶれ補正手段を能動化する制御手段とを備える。
【０００８】
また、請求項２の発明は、請求項１の発明に係るデジタルカメラにおいて、前記所定の電源は、電池である。
【０００９】
また、請求項３の発明は、請求項２の発明に係るデジタルカメラにおいて、前記モード設定手段は、（ｄ−１）前記被写体画像の拡大表示について複数の拡大倍率から１の拡大倍率を指定する指定手段を有するとともに、前記制御手段は、（ｅ−１）前記ピント確認モードに設定された場合において、前記指定手段で指定された１の拡大倍率が所定の拡大倍率以上である場合に、前記ぶれ補正手段を能動化する手段を有する。
【００１０】
また、請求項４の発明は、請求項２または請求項３の発明に係るデジタルカメラにおいて、（ｆ）前記ピント確認モードの設定が解除された場合には、前記ぶれ補正手段を不能化する手段をさらに備える。
【００１１】
また、請求項５の発明は、請求項２ないし請求項４のいずれかの発明に係るデジタルカメラにおいて、（ｇ）前記撮影光学系に含まれるレンズを駆動する駆動手段と、（ｈ）前記駆動手段により前記レンズが駆動される際には、前記ぶれ補正手段を不能化する手段とをさらに備える。
【００１２】
また、請求項６の発明は、請求項２ないし請求項５のいずれかの発明に係るデジタルカメラにおいて、（ｉ）メニューおよび／またはダイアログを前記表示手段に表示させる表示制御手段と、（ｊ）前記表示制御手段によって前記メニューおよび／またはダイアログが表示される場合には、前記ぶれ補正手段を不能化する手段とをさらに備える。
【００１３】
また、請求項７の発明は、請求項２ないし請求項６のいずれかの発明に係るデジタルカメラにおいて、前記制御手段は、（ｅ−２）前記ピント確認モードに設定された後に所定時間が経過した場合には、前記ぶれ補正手段を不能化する手段を有する。
【００１４】
また、請求項８の発明は、請求項１ないし請求項７のいずれかの発明に係るデジタルカメラにおいて、（ｋ）撮影時に前記ぶれ補正手段を能動化するぶれ補正実施の設定と、撮影時に前記ぶれ補正手段を不能化するぶれ補正不実施の設定とを選択的に行う選択手段をさらに備え、前記制御手段は、（ｅ−３）前記ぶれ補正実施または前記ぶれ補正不実施の設定に関わらず、前記ピント確認モードに設定された場合には、前記ぶれ補正手段を能動化する手段を有する。
【００１５】
また、請求項９の発明は、請求項１ないし請求項８のいずれかの発明に係るデジタルカメラにおいて、前記制御手段は、（ｅ−４）前記ピント確認モードに設定された場合で、少なくとも撮影準備状態における所定期間においては、前記ぶれ補正手段の能動化状態を維持する手段を有する。
【００１６】
また、請求項１０の発明は、請求項１ないし請求項９のいずれかの発明に係るデジタルカメラにおいて、前記制御手段は、（ｅ−５）前記ピント確認モードに設定された場合においては、撮影指示が行われる場合でも、前記ぶれ補正手段の能動化状態を維持する手段を有する。
【００１７】
また、請求項１１の発明は、請求項１ないし請求項１０のいずれかの発明に係るデジタルカメラにおいて、（ｌ）前記撮影光学系に係るレンズ配置を変更し、合焦状態の調整を行う調整手段と、（ｍ）前記調整手段により前記レンズ配置が変更される場合には、前記ぶれ補正手段を能動化する手段とをさらに備える。
【００１８】
また、請求項１２の発明は、デジタルカメラであって、（ａ）被写体に係る画像を取得する撮像手段と、（ｂ）前記撮像手段で順次に取得される被写体画像に基づき、被写体に係るライブビュー表示が可能な表示手段と、（ｃ）前記デジタルカメラに係る振動を検出し、前記振動に応じて前記撮像手段で順次に取得される被写体画像のぶれを補正するぶれ補正手段と、（ｄ）前記ぶれ補正手段を能動化するぶれ補正実施の設定と、前記ぶれ補正手段を不能化するぶれ補正不実施の設定とを選択的に行う選択手段と、（ｅ）前記ライブビュー表示において前記被写体画像を拡大して表示することにより合焦状態の把握に寄与するピント確認モードに設定するモード設定手段と、（ｆ）前記ピント確認モードに設定された場合には、前記選択手段による前記ぶれ補正実施の設定を促す表示を前記表示手段に行う表示制御手段とを備える。
【００１９】
【発明の実施の形態】
＜デジタルカメラの要部構成＞
図１は、本発明の実施形態に係るデジタルカメラ１の要部構成を示す断面図である。また、図２は、デジタルカメラ１の背面を示す図である。
【００２０】
デジタルカメラ１は、手ぶれによる画像中の被写体像のぶれを補正（抑制）する手ぶれ補正機能を有している。図１に示すようにデジタルカメラ１は、主としてカメラ本体部２と、カメラ本体部２のハウジング２ａに固設される撮影レンズ３とから構成される。なお、以下の説明においては、図１および図２に示すＸＹＺ３次元直交座標系を適宜用いて、方向および向きを示すこととする。ここで、Ｚ軸方向は撮影レンズ３の光軸Ｌに沿った方向であり、Ｚ軸正方向は入射光の入射先となる向きである。また、Ｙ軸方向は鉛直方向であり、Ｙ軸正方向は鉛直上向きである。これらＸＹＺ軸は、カメラ本体部２のハウジング２ａに対して相対的に固定される。
【００２１】
撮影レンズ３は、撮影光学系として機能し、鏡胴３１と、鏡胴３１の内部に設けられる複数のレンズ群３２および絞り３３と、鏡胴３１の周りで光軸Ｌを中心に回動自在なフォーカスリング３６とを備えている。レンズ群３２には、ズーム用レンズ３４およびフォーカス用レンズ３５が含まれている。ズーム用レンズ３４の位置をＺ軸方向に移動させることにより焦点距離（撮影倍率）を変更することができ、また、フォーカス用レンズ３５をＺ軸方向に移動させることにより焦点位置を変更できるように構成されている。撮影レンズ３を介して形成される光像は、結像されるＸＹ平面（以下、「結像平面」という。）上において光軸の位置を中心とした略円形状のイメージサークルとなる。
【００２２】
フォーカスリング（ピントリング）３６は、リング状の形状を有しており、マニュアルフォーカス（ＭＦ）モードにおいてユーザの回動操作によりピント調整を行える。すなわち、フォーカスリング３６は、撮影レンズ３に係るレンズ配置を変更して合焦状態の調整を行う調整手段として機能する。
【００２３】
撮影レンズ３の光軸Ｌの後方（Ｚ軸正方向側）には、カメラ本体部２のハウジング２ａに収容されたＣＣＤ５が配置されている。このＣＣＤ５は、カラーフィルタがそれぞれ付された微細な画素群で構成される撮像素子であり、撮影レンズ３によって結像される光像を、例えばＲＧＢの色成分を有する画像信号に光電変換する。すなわち、ＣＣＤ５は、撮影レンズ３を介して被写体に係る画像を取得する撮像手段として機能する。また、ＣＣＤ５の受光面は結像平面と一致するように配置され、イメージサークル中の一部の領域が画像として取得されることとなる。
【００２４】
ＣＣＤ５は、ＣＣＤ移動部５０内に固定されて配置され、ＣＣＤ移動部５０によりＺ軸に直交するＸＹ平面内にて移動することが可能とされている。図３は、ＣＣＤ５を含めたＣＣＤ移動部５０の分解斜視図である。
【００２５】
図３に示すように、ＣＣＤ移動部５０は主として、ハウジング２ａに固設されるベース板５１、ベース板５１に対してＸ軸方向に移動する第１スライダ５２、および、第１スライダ５１に対してＹ軸方向に移動する第２スライダ５３の３つの部材から構成される。
【００２６】
ベース板５１は、撮影レンズ３からの入射光を通過可能に中央部が開口しており、Ｘ軸方向に延設される第１アクチュエータ５１１と、スプリング５５を掛けるための第１スプリング掛け５１２とを備えている。第２スライダ５３は、ＣＣＤ５を固定可能な開口部５３３がその中央部に形成されるとともに、Ｙ軸方向に延設される第２アクチュエータ５３１と、剛球５４をＺ軸方向両面に遊嵌する剛球受け５３２とを備えている。また、第１スライダ５２は中央部が開口しており、第１アクチュエータ５１１と対向する位置に第１摩擦結合部５２１と、第２アクチュエータ５３１と対向する位置に第２摩擦結合部５２２とがそれぞれ設けられ、さらに、第１スプリング掛け５１２と対向する位置に第２スプリング掛け５２３が設けられている。
【００２７】
第１アクチュエータ５１１および第２アクチュエータ５３１はそれぞれ、圧電素子と延在方向に駆動可能な駆動ロッドとを備えており、圧電素子に印加される駆動パルスに応じた量および向きに駆動ロッドが移動するようになっている。
【００２８】
ＣＣＤ移動部５０が組み上げられるときには、ＣＣＤ５が第２スライダ５３の開口部５３３に嵌合して固設されるとともに、第１アクチュエータ５１１の駆動ロッドと第１摩擦結合部５２１とが摩擦結合され、第２アクチュエータ５３１の駆動ロッドと第２摩擦結合部５２２とが摩擦結合される。また、ベース板５１と第１スライダ５２とは、スプリング５５によって相互に接近する向きに付勢される。このとき、第２スライダ５３は、ベース板５１と第１スライダ５２とに剛球５４を介して挟み込まれた状態とされる。これにより、Ｚ軸負方向側から正方向側に向かって、ベース板５１、第２スライダ５３、第１スライダ５２の順に重なって、これら部材５１〜５３が配置されることとなる。
【００２９】
このようなＣＣＤ移動部５０が組み上げられた状態で、第１アクチュエータ５１１の駆動ロッドが緩速で移動すると、これに摩擦結合する第１摩擦結合部５２１の移動により第１スライダ５２がベース板５１に対してＸ軸方向に移動する。このとき、第１スライダ５２の移動にあわせて第２スライダ５３もベース板５１に対してＸ軸方向に移動する。第１アクチュエータ５１１の駆動ロッドが急速に移動すると、慣性により第１スライダ５２は停止する。また、第２アクチュエータ５３１の駆動ロッドが緩速で移動すると、これに摩擦結合する第２摩擦結合部５２２の移動により第２スライダ５３が第１スライダ５２に対してＹ軸方向に移動する。このとき、第１スライダ５２のベース板５１に対する移動はなされないため、第２スライダ５３は単独でベース板５１に対してＹ軸方向に移動することとなる。第２アクチュエータ５３１の駆動ロッドが急速に移動すると、慣性により第２スライダ５３は停止する。つまり、各圧電素子に与えられる駆動パルスによって各駆動ロッドが速度の異なる往動および復動を行うことにより、第２スライダ５３がＸ軸・Ｙ軸方向に移動することとなる。
【００３０】
前述したように、ベース板５１はハウジング２ａに固設され、ＣＣＤ５は第２スライダ５３に固設されることから、ＣＣＤ５はハウジング２ａに対してＸＹ平面（結像平面）内にて相対的に移動することとなる。また、撮影レンズ３はハウジング２ａに固設されることから、撮影レンズ３により形成されるイメージサークルの位置は、ハウジング２ａに相対的に固定される。したがって、上記のようなＣＣＤ移動部５０の構成により、撮影レンズ３により形成されるイメージサークル（光像）と、ＣＣＤ５により取得される画像との相対的な位置が変更可能とされ、イメージサークル中において画像として取得される領域が変更されるわけである。
【００３１】
ただし、第１アクチュエータ５１１および第２アクチュエータ５３１の駆動ロッドの両端にはそれぞれ、ストッパが設けられており、第１摩擦結合部５２１および第２摩擦結合部５２２それぞれの可動範囲はこのストッパにより規定される。このため、ＣＣＤ５の可動範囲には限界がある。
【００３２】
図１および図２に戻り、ＣＣＤ５のＺ軸正方向側には、移動するＣＣＤ５の位置を検出するためのＣＣＤ位置センサ５８が配置されている。ＣＣＤ位置センサ５８は、発光ダイオード等で構成される２つの投光部５６ａ、５６ｂ、およびフォトダイオード等で構成される２つの受光部５７ａ、５７ｂを備えている。投光部５６ａ、５６ｂはＣＣＤ５の裏面側（Ｚ軸正方向側）に固設される一方、受光部５７ａ、５７ｂは投光部５６ａ、５６ｂにそれぞれ対向するようにカメラ本体部２のハウジング２ａに固設される。投光部５６ａ、５６ｂから投光された光は受光部５７ａ、５７ｂにて受光可能となっており、この受光部５７ａ、５７ｂにて受光する光の位置の変化から、ＣＣＤ５の位置がＸＹ座標位置として求められる。具体的には、第１投光部５６ａおよび第１受光部５７ａにてＣＣＤ５のＸ軸方向の位置を検出し、第２投光部５６ｂおよび第２受光部５７ｂにてＣＣＤ５のＹ軸方向の位置を検出するようになっている。
【００３３】
また、カメラ本体部２のハウジング２ａの内部には、デジタルカメラ１の手ぶれによる振動を検出する振動センサ４０が設けられている。この振動センサ４０は、２つの角速度センサ（第１角速度センサ４１および第２角速度センサ４２）を備えており、第１角速度センサ４１にてＸ軸を中心とした回転振動（ピッチング）Ｐｉの角速度が検出され、第２角速度センサ４２にてＹ軸を中心とした回転振動（ヨーイング）Ｙａの角速度が検出される。この振動センサ４０により検出される２つの角速度に応じて、ＣＣＤ５がＸ軸およびＹ軸のそれぞれの方向に移動されることにより、被写体画像のぶれの補正、すなわち、手ぶれ補正がなされることとなる。
【００３４】
カメラ本体部２の上面側にはシャッタボタン６１が設けられている。シャッタボタン６１は、撮影準備の開始や撮像（露光開始）の指示をユーザから受け付けるボタンであり、半押し状態（Ｓ１状態：撮影準備状態）と全押し状態（Ｓ２状態：撮影指示）とが検出可能な２段階スイッチになっている。
【００３５】
また、カメラ本体部２の背面側には、デジタルカメラ１の各種設定やコマンドの内容をユーザから受け付ける操作スイッチ６２が設けられている。この操作スイッチ６１は、５つのボタン（斜線部）で構成されており、ユーザ操作によって動作モードの切替指示や、撮影レンズ３の焦点距離の変更指示等を行うことができる。本実施形態のデジタルカメラ１の動作モードには、被写体画像を取得して記録する撮影モードと、記録された画像を再生表示する再生モードとがある。
【００３６】
カメラ本体部２の上部にはＥＶＦ（電子ビューファインダ）６５が設けられ、カメラ本体部２の背面側にはＬＣＤ６４が設けられる。ＥＶＦ６５は、液晶ディスプレイで構成されるＥＶＦ表示部６５ａと接眼レンズ６５ｂとを備えており、ユーザはＥＶＦ表示部６５ａにて表示される種々の表示内容を接眼レンズ６５ｂを介して確認することができる。ＥＶＦ６５とＬＣＤ６４とには同一の内容が表示され、ユーザは必要に応じてこれらの表示手段を選択的に使用する。このため、以下、ＥＶＦ６５およびＬＣＤ６４の双方を総称して、表示部６３という。
【００３７】
再生モードにおいて表示部６３は、記録された画像を再生表示する。また、撮影モードの撮影待機状態において表示部６３は、所定時間ごとに順次にＣＣＤ５で取得される被写体画像を動画的態様で表示（ライブビュー表示）し、被写体の状態をユーザに確認させつつフレーミングを行わせるビューファインダとして機能する。
【００３８】
カメラ本体部２の内部には、各種データを記録するメモリカード９を挿入して装着することが可能とされる。このメモリカード９には、撮影モードにおいてＣＣＤ５で取得された記録用画像等が記録される。
【００３９】
また、カメラ本体部２の背面には、ピント確認モードに設定するためのピント確認ボタン６６とメニューボタン６７とが設けられている。このピント確認モードについては、後で詳述する。
【００４０】
メニューボタン６７は、ユーザによる押下操作によりメニューが表示部６３に表示される。そして、メニュー表示状態において、操作スイッチ６２などでユーザが操作入力を行うことにより、手ぶれ補正のオン・オフ設定など、デジタルカメラ１の機能に関するメニューの設定が行える。上記の手ぶれ補正のオン・オフ設定、つまり撮影時に手ぶれ補正を行うぶれ補正実施／撮影時に手ぶれ補正を行わないぶれ補正不実施の選択的な設定については、例えば図４に示す手ぶれ補正設定画面ＧＳが表示部６３に表示され、設定が行われることとなる。
【００４１】
手ぶれ補正機能などのデジタルカメラ１の各種機能は、カメラ本体部２のハウジング２ａ内に設けられる全体制御部の制御に基づいて行われる。
【００４２】
図５は、全体制御部７を含めたデジタルカメラ１の主たる機能構成を機能ブロックとして示す図である。
【００４３】
前述したＣＣＤ５、ＣＣＤ移動部５０、ＣＣＤ位置センサ５８、振動センサ４０、シャッタボタン６１、操作ボタン６２、ピント確認ボタン６６、メニューボタン６７および表示部６３等のデジタルカメラ１の各部は全体制御部７に電気的に接続され、全体制御部７の制御下にて動作することとなる。これとともに、ＣＣＤ位置センサ５８にて検出されるＣＣＤ５の位置、振動センサ４０にて検出される角速度、シャッタボタン６１やピント確認ボタン６６の操作内容等は、それぞれ制御信号として全体制御部７に入力される。
【００４４】
撮影レンズ３は、撮影レンズ３に含まれるレンズを駆動する駆動手段として働くズーム駆動部３４１およびフォーカス駆動部３５１と、絞り駆動部３３１とを備えている。このズーム駆動部３４１は、ズーム用レンズ３４をＺ軸方向に駆動して焦点距離を変更させる。また、フォーカス駆動部３５１は、フォーカス用レンズ３５をＺ軸方向に駆動して焦点位置を変更させる。絞り駆動部３３１は、全体制御部７により設定される絞り値となるように絞り３３の開口径を調整する。ズーム駆動部３４１、フォーカス駆動部３５１および絞り駆動部３３１も電気的に全体制御部７に接続され、全体制御部７の制御下にて動作する。
【００４５】
また、Ａ／Ｄ変換部２１、画像処理部２２および画像メモリ２３は、ＣＣＤ５にて取得された画像を扱う処理部として機能する。すなわち、ＣＣＤ５にて取得されたアナログ信号の画像は、Ａ／Ｄ変換部２１にてデジタル信号に変換され、画像処理部２２にて所定の画像処理がなされた後、画像メモリ２３に格納される。画像メモリ２３に格納された画像は、記録用画像としてメモリカード９に記録されたり、ライブビュー表示用画像として表示部６３に表示されることとなる。このような画像に対する各種の処理も全体制御部７の制御に基づいて行われる。
【００４６】
全体制御部７は、マイクロコンピュータを備えて構成される。すなわち、全体制御部７は、各種演算処理を行うＣＰＵ７０と、演算を行うための作業領域となるＲＡＭ７１と、制御プログラム等が記憶されるＲＯＭ７２とを備え、上述したようなデジタルカメラ１の各部の動作を統括的に制御する。
【００４７】
全体制御部７の各種の機能は、予めＲＯＭ７２内に記憶される制御プログラムに従ってＣＰＵ７０が演算処理を行うことにより実現される。なお、ＲＯＭ７２はＥＰＲＯＭなどの追記が可能な不揮発性メモリで構成されており、メモリカード９からの読出などにより、新たな制御プログラムをＲＯＭ７２に格納することも可能とされている。図５において、露出制御部７３、ＡＦ制御部７４および手ぶれ補正制御部７５は、制御プログラムに従ってＣＰＵ７０が演算処理を行うことにより実現される機能の一部を模式的に示している。
【００４８】
露出制御部７３は、取得される画像の明るさが適正になるように調整する露出制御（ＡＥ）を行う。Ａ／Ｄ変換部２１にてデジタル信号に変換された画像は、全体制御部７にも入力される。露出制御部７３は、この画像から被写体の輝度情報を導出し、この輝度情報に基づいてシャッタスピードおよび絞り値を設定する。デジタルカメラ１においてはシャッタ方式として電子シャッタ方式が採用され、シャッタスピードはＣＣＤ５の露光時間（電荷蓄積時間）に相当する。したがって、設定されたシャッタスピードはＣＣＤ５に出力され、ＣＣＤ５は設定された露光時間だけ露光するように制御される。一方、設定された絞り値は絞り駆動部３３１に出力され、設定された絞り値に相当する開口径となるように撮影レンズ３内の絞り３３が駆動される。
【００４９】
ＡＦ制御部７４は、画像中の被写体像が合焦状態となるように撮影レンズ３内のレンズ群を移動させるフォーカス制御（ＡＦ）を行う。具体的には、フォーカス駆動部３５１に信号を送信してフォーカス用レンズ３５を駆動させつつ、Ａ／Ｄ変換部２１から入力される画像のコントラストを監視し、コントラストが最も高くなる位置（合焦位置）にフォーカス用レンズ３５を移動させる。
【００５０】
手ぶれ補正制御部７９は、手ぶれ補正機能に係る制御を行う。つまり、手ぶれ補正制御部７９は、デジタルカメラ１の振動、すなわち、振動センサ４０から入力される２つの角速度に基づいて、ＣＣＤ移動部５０に駆動パルスを出力してＣＣＤ５を移動させる。
【００５１】
電源部７９は、例えば電池からなり、全体制御部７を含むデジタルカメラ１の各部に電力を供給する。
【００５２】
＜ピント確認モードについて＞
デジタルカメラ１は、ピント確認ボタン６６をユーザが押下することにより、通常の表示倍率の画面、その２倍に拡大された画面、および４倍に拡大された画面にサイクリックに切替わるピント確認機能（モード）を有している。このピント確認モードについて以下で説明する。
【００５３】
図６は、ピント確認モードを説明するための図である。
【００５４】
デジタルカメラ１のライブビュー表示状態において、ピント確認ボタン６６がユーザにより押下された場合には、ピント確認モード１に移行し、例えば図６（ａ）に示す通常（１倍）画面Ｇ１から図６（ｂ）に示す２倍拡大画面Ｇ２に切り替わる。そして、再びピント確認ボタン６６が押下されると、ピント確認モード２に移行し、図６（ｃ）に示す４倍拡大画面Ｇ３に切り替わる。さらに、ピント確認ボタン６６が押下されると、図６（ａ）の通常の画面Ｇ１に復帰する。このことから、ピント確認ボタン６６は、被写体画像の拡大表示について複数の拡大倍率から１の拡大倍率を指定する指定手段として機能する。
【００５５】
このようなピント確認モード１、２においては、２倍拡大画面Ｇ２や４倍拡大画面Ｇ３をユーザが視認することで、被写体に関する合焦状態を容易に把握できることとなる。これにより、ピントが合っていない場合などには、フォーカスリング３６を操作することにより、効果的なピント合わせを行える。
【００５６】
しかしながら、従来技術で説明したように、ピント確認モードでは被写体画像の一部を拡大して表示するため、手ぶれによる表示画面の揺れも拡大されてしまう。特に、４倍拡大画面Ｇ３における手ぶれの影響は、通常画面Ｇ１に比べて相当に大きくなるため、ユーザの視認性が低下し、デジタルカメラ１の操作性が悪化する。
【００５７】
そこで、デジタルカメラ１では、ピント確認モードでの表示状態を改善するため、所定の拡大倍率以上である場合、具体的には図６（ｃ）に示す４倍拡大表示時に、手ぶれ補正機能を作動させて視認性の向上を図ることとする。このデジタルカメラ１の動作を以下で説明する。
【００５８】
＜デジタルカメラ１の動作＞
図７および図８は、デジタルカメラ１の基本的な動作を示すフローチャートである。この動作は、ＲＯＭ７２内に記憶される制御プログラムがＣＰＵ７０で実行されることで実施される。
【００５９】
まず、ピント確認ボタン６６の押下操作により、図６（ｃ）に示す４倍拡大画面Ｇ３が表示部６３に表示されるピント確認モード２に設定されると、手ぶれ補正をオン、つまり手ぶれ補正制御部７９を能動化して手ぶれ補正を実行する（ステップＳＴ１）。ここでは、図４に示す手ぶれ補正のオン・オフ設定に関わらず、ピント確認モード２に設定された場合、手ぶれ補正制御部７５を作動させて手ぶれ補正が行われることとなる。
【００６０】
次に、ステップＳＴ２では、シャッターボタン６１がユーザにより半押しされたかを判定する。ここで、シャッターボタン６１が半押しされ、撮影準備状態に移行した場合には、ステップＳＴ３に進み、シャッターボタン６１が半押しされていない場合には、ステップＳＴ２１に進む。
【００６１】
ステップＳＴ３では、合焦状態、つまりピントが合っている状態であるかを判定する。ここで、合焦状態である場合には、ステップＳＴ４に進み、合焦状態でない場合には、ステップＳＴ７に進む。このように合焦状態でない場合には、ユーザのピント確認のため、合焦状態に至るまでの少なくとも所定期間において手ぶれ補正制御部７５の能動化状態を維持して手ぶれ補正が継続される。
【００６２】
ステップＳＴ４では、手ぶれ補正をオフにする。すなわち、手ぶれ補正制御部７９を不能化して手ぶれ補正が行われない状態とする。
【００６３】
ステップＳＴ５では、撮影レンズ３内のレンズ群を駆動してＡＦ制御を行う。この場合、つまりレンズ群が駆動される場合には、ステップＳＴ４により手ぶれ補正制御部７５を不能化して手ぶれ補正を行わないのは、効果的でない手ぶれ補正を防止して、省電力を図るためである。
【００６４】
ステップＳＴ６では、ステップＳＴ１と同様に手ぶれ補正をオンにする。
【００６５】
ステップＳＴ７では、シャッターボタン６１がユーザにより全押しされたかを判定する。ここで、シャッターボタン６１が全押された場合にはステップＳＴ８に進み、全押しされていない場合には、ステップＳＴ２に戻る。
【００６６】
ステップＳＴ８では、図４に示す手ぶれ補正設定画面ＧＳにおいて手ぶれ補正のオフに設定がなされていたかを判定する。ここで、撮影時の手ぶれ補正オフに設定されている場合には、ステップＳＴ９に進み、設定されていない場合、つまり撮影時の手ぶれ補正オンに設定されている場合には、ステップＳ１０に進む。このステップＳ１０に進む場合には、撮影指示（Ｓ２状態）が行われる時でも、手ぶれ補正制御部７５の能動化状態を維持して手ぶれ補正の実行が継続されることとなる。
【００６７】
ステップＳＴ９では、ステップＳＴ４と同様に、手ぶれ補正をオフにする。
【００６８】
ステップＳＴ１０では、露光、つまり撮影（本撮影）を行う。これにより、ＣＣＤ５において記録用の画像データが取得される。
【００６９】
ステップＳＴ１１では、手ぶれ補正がオンの状態、つまり手ぶれ補正制御部７９が能動化されている状態であるかを判定する。ここで、手ぶれ補正がオンの状態である場合には、ステップＳＴ１２に進み、手ぶれ補正がオフの状態である場合には、ステップＳＴ１３に進む。
【００７０】
ステップＳＴ１２では、ステップＳＴ４と同様に、手ぶれ補正をオフにする。
【００７１】
ステップＳＴ１３では、ステップＳＴ１０での露光によりＣＣＤ５で取得された画像データに対して画像処理部２２で画像処理して、メモリカード９に記録する。そして、表示部６３の表示画面を、図６（ａ）に示す通常（１倍）画面Ｇ１に切替える。
【００７２】
ステップＳＴ２１では、メニューボタン６７ユーザにより押下されたかを判定する。ここで、メニューボタン６７が押下された場合には、ステップＳＴ２２に進み、押下されていない場合には、ステップＳＴ２７に進む。
【００７３】
ステップＳＴ２２では、ステップＳＴ１１と同様に、手ぶれ補正がオンの状態であるかを判定する。ここで、手ぶれ補正がオンの状態である場合には、ステップＳＴ２３に進み、手ぶれ補正がオフの状態である場合には、ステップＳＴ２４に進む。
【００７４】
ステップＳＴ２３では、ステップＳＴ４と同様に、手ぶれ補正をオフにする。
【００７５】
ステップＳＴ２４では、表示部６３にメニューを表示（例えば図４に示す画面ＧＳをオーバーレイ表示）する。このようにメニュー表示が行われる場合には、ステップＳＴ２３により手ぶれ補正制御部７５が不能化されているため、手ぶれ補正が実行されないこととなる。
【００７６】
ステップＳＴ２５では、メニューを終了させるかを判定する。具体的には、メニューボタン６７が再び押下されたかを判断する。ここで、メニューを終了する場合には、ステップＳＴ２６に進み、終了しない場合には、ステップＳＴ２４に戻ってメニュー表示を継続する。
【００７７】
ステップＳＴ２６では、手ぶれ補正のオン・オフの状態を、メニュー表示（ステップＳＴ２４）の以前に復帰させる。
【００７８】
ステップＳＴ２７では、ピント確認ボタン６６が押下されたかを判定する。ここで、ピント確認ボタン６６が押下された場合には、図６（ａ）に示す通常（１倍）画面Ｇ１に切替わり、元の表示モードである通常表示倍率（×１．０）のライブビュー表示が行われる。そして、このようにピント確認モードの設定が解除された場合には、手ぶれ補正が不要となるため、手ぶれ補正制御部７５を不能化して手ぶれ補正を行わないようにする。一方、ピント確認ボタン６６が押下されない場合には、ステップＳＴ２８に進む。
【００７９】
ステップＳＴ２８では、ユーザによりフォーカスリング３６の操作があったかを判定する。ここで、フォーカスリング３６の操作があった場合には、ステップＳＴ２９に進み、操作がない場合には、ステップＳＴ３１に進む。
【００８０】
ステップＳＴ２９では、手ぶれ補正がオフの状態、つまり手ぶれ補正制御部７９が不能化されている状態であるかを判定する。ここで、手ぶれ補正がオフの状態である場合には、ステップＳＴ３０に進み、手ぶれ補正がオンの状態である場合には、ステップＳＴ３１に進む。
【００８１】
ステップＳＴ３０では、ステップＳＴ１と同様に、手ぶれ補正をオンにする。このようにフォーカスリング３６の操作により撮影レンズ３のレンズ配置が変更される場合には、手ぶれ補正制御部７５を能動化して手ぶれ補正が実行されることとなる。
【００８２】
ステップＳＴ３１では、４倍に拡大表示するピント確認モード２に移行して、１０秒経過したかを判定する。ここで、１０秒経過した場合には、ステップＳＴ３２に進み、１０秒経過していない場合には、ステップＳＴ２に進む。
【００８３】
ステップＳＴ３２では、ステップＳＴ１１と同様に、手ぶれ補正がオンの状態であるかを判定する。ここで、手ぶれ補正がオンの状態である場合には、ステップＳＴ３３に進み、手ぶれ補正がオフの状態である場合には、ステップＳＴ２に進む。
【００８４】
ステップＳＴ３３では、ステップＳＴ４と同様に、手ぶれ補正をオフにする。このようにピント確認モード２に設定された後に１０秒（所定時間）が経過した場合には、省電力のために手ぶれ補正制御部７５を不能化して手ぶれ補正を実施しないようにする。
【００８５】
以上のデジタルカメラ１の動作により、４倍拡大画面Ｇ３を表示するピント確認モードにおいて手ぶれ補正を行うため、表示部６３に拡大表示される被写体の視認性を向上できる。
【００８６】
＜変形例＞
◎上記の実施形態においては、４倍拡大画面Ｇ３（図５（ｃ））のピント確認モードに移行する場合には、自動的に手ぶれ補正が行われるのは必須でなく、ユーザに図４に示すような手ぶれ補正オン（ぶれ補正実施）の設定を促す表示を行うようにしても良い。例えば、図９に示す４倍拡大画面Ｇ４のように「手ぶれ補正をオンにしてください」という表示を行う。そして、この表示を見たユーザが操作入力により手ぶれ補正をオンに設定すれば、ピント確認モードにおいて視認性を向上できることとなる。
【００８７】
◎上記の実施形態における電源部については、電池で構成されるのは必須でなく、デジタルカメラ外部から受電する部位として構成されても良い。
【００８８】
◎上記の実施形態においては、メニュー表示の際に限らず、ダイアログを表示部に表示する際にも手ぶれ補正を実施しないようにしても良い。
【００８９】
【発明の効果】
以上説明したように、請求項１ないし請求項１１の発明によれば、ピント確認モードに設定された場合には、デジタルカメラに係る振動に応じて被写体画像のぶれを補正するぶれ補正手段を能動化するため、ピント確認モードにおいて表示部に拡大表示される被写体の視認性を向上できる。
【００９０】
特に、請求項３の発明においては、ピント確認モードに設定された場合において、指定手段で指定された１の拡大倍率が所定の拡大倍率以上である場合に、ぶれ補正手段を能動化する。その結果、ぶれの影響が大きい場合のみ手ぶれ補正を行えるため、電池の消耗を抑え、省電力が図れる。
【００９１】
また、請求項４の発明においては、ピント確認モードの設定が解除された場合にはぶれ補正手段を不能化するため、電池の消耗を抑え、省電力が図れる。
【００９２】
また、請求項５の発明においては、駆動手段により撮影光学系に含まれるレンズが駆動される際には、ぶれ補正手段を不能化する。その結果、レンズが駆動され被写体表示が正常でない間は手ぶれ補正を実施しないため、電池の消耗を抑え、省電力が図れる。
【００９３】
また、請求項６の発明においては、メニューおよび／またはダイアログが表示される場合には、ぶれ補正手段を不能化する。その結果、被写体画像が表示されない間は手ぶれ補正を実施しないため、電池の消耗を抑え、省電力が図れる。
【００９４】
また、請求項７の発明においては、ピント確認モードに設定された後に所定時間が経過した場合には、ぶれ補正手段を不能化するため、電池の消耗を抑え、省電力が図れる。
【００９５】
また、請求項８の発明においては、撮影時のぶれ補正実施または撮影時のぶれ補正不実施の設定に関わらず、ピント確認モードに設定された場合には、ぶれ補正手段を能動化するため、ピント確認を適切な視認状態で確実に行える。
【００９６】
また、請求項９の発明においては、ピント確認モードに設定された場合で、少なくとも撮影準備状態における所定期間においては、ぶれ補正手段の能動化状態を維持するため、操作性が向上する。
【００９７】
また、請求項１０の発明においては、ピント確認モードに設定された場合においては撮影指示が行われる場合でも、ぶれ補正手段の能動化状態を維持するため、操作性を向上でき、シャッターチャンスを逃さない。
【００９８】
また、請求項１１の発明においては、調整手段により撮影光学系に係るレンズ配置が変更される場合には、ぶれ補正手段を能動化するため、操作性を向上できる。
【００９９】
また、請求項１２の発明においては、ピント確認モードに設定された場合には、ぶれ補正実施の設定を促す表示を表示手段に行う。これにより、ユーザがぶれ補正実施の設定を行えば、ピント確認モードにおいて表示部に拡大表示される被写体の視認性を向上できる。
【図面の簡単な説明】
【図１】本発明の実施形態に係るデジタルカメラ１の要部構成を示す断面図である。
【図２】デジタルカメラ１の背面を示す図である。
【図３】ＣＣＤ５を含めたＣＣＤ移動部５０の分解斜視図である。
【図４】手ぶれ補正設定画面ＧＳを説明するための図である。
【図５】デジタルカメラ１の主たる機能構成を機能ブロックとして示す図である。
【図６】ピント確認モードを説明するための図である。
【図７】デジタルカメラ１の基本的な動作を示すフローチャートである。
【図８】デジタルカメラ１の基本的な動作を示すフローチャートである。
【図９】本発明の変形例に係るピント確認モードを説明するための図である。
【符号の説明】
１  デジタルカメラ
３  撮影レンズ
５  ＣＣＤ
３６  フォーカスリング
４０  振動センサ
５０  ＣＣＤ移動部
６３  表示部
６６  ピント確認ボタン
６７  メニューボタン
【図１】
2005003957.tif 000003
【図２】
2005003957.tif 000004
【図３】
2005003957.tif 000005
【図４】
2005003957.tif 000006
【図５】
2005003957.tif 000007
【図６】
2005003957.tif 000008
【図７】
2005003957.tif 000009
【図８】
2005003957.tif 000010
【図９】
2005003957.tif 000011